(57)【要約】送信者と、データベースと、宇宙機と、宇宙機の追跡管制装置と、受信者とを通信ネットワークで接続し、送信者のメッセージを追跡管制装置に位置を捉えられつつ航行する宇宙機および地上のデータベースのうちの少なくともいずれか一方に格納し、受信者に対して、送信者が指定した期日に宇宙機あるいはデータベースに格納したメッセージを宇宙機の諸元および位置とともに供給するメッセージ供給システムである。このメッセージ供給システムにより、送信者本人を含めた受信者に対して、日時や、回数などを指定して、画像や動画などの様々な種類のメッセージ（誕生記念などのメモリアルメッセージや、健康回復祈願などの祈願や、プロポーズなどの愛情表現や、遺言や、人生の足跡）を供給することが可能になり、加えて、メッセージを託した宇宙機の形状や、飛行経路や、打ち上げ日時などを指定することができる。
2002049239.tif 000002
【特許請求の範囲】
【請求項１】
送信者と、データベースと、宇宙機と、宇宙機の追跡管制装置と、受信者とを通信ネットワークで接続し、送信者のメッセージを追跡管制装置に位置を捉えられつつ航行する宇宙機および地上のデータベースのうちの少なくともいずれか一方に格納し、受信者に対して、送信者が指定した期日に宇宙機あるいはデータベースに格納したメッセージを宇宙機の諸元および位置とともに供給することを特徴とするメッセージ供給システム。
【請求項２】
送信者から通信ネットワークを通して送られたメッセージを送信者のメッセージとした請求項１に記載のメッセージ供給システム。
【請求項３】
送信者から通信ネットワークを通して送られたメッセージに宇宙機が撮影した天体画像および／または宇宙機の飛行画像を添付したものを送信者のメッセージとした請求項２に記載のメッセージ供給システム。
【請求項４】
宇宙機が撮影した天体画像および／または宇宙機の飛行画像をデータベースに蓄積してアルバム化したものを送信者から通信ネットワークを通して送られたメッセージに添付する請求項３に記載のメッセージ供給システム。
【請求項５】
送信者と、データベースと、ビジュアルメッセージを形成可能な宇宙機と、宇宙機の追跡管制装置と、受信者とを通信ネットワークで接続し、この通信ネットワークを通して送られた送信者からのビジュアルメッセージの諸元を追跡管制装置に位置を捉えられつつ航行する宇宙機および地上のデータベースのうちの少なくともいずれか一方に格納し、宇宙機あるいはデータベースに格納したビジュアルメッセージの諸元に基づいて、送信者が指定した期日でかつ送信者および／または受信者が視認可能な場所で、送信者が希望するビジュアルメッセージを形成することを特徴とするメッセージ供給システム。
【請求項６】
宇宙機が発生させる人工流れ星やオーロラなどの発光現象をビジュアルメッセージとした請求項５に記載のメッセージ供給システム。
【請求項７】
宇宙機に設けた複数の発光体を選択的に発光させて形成される文字列や絵をビジュアルメッセージとした請求項５に記載のメッセージ供給システム。
【請求項８】
宇宙機に設けた複数の反射体に太陽光を当てて選択的に反射させて形成される文字列や絵をビジュアルメッセージとした請求項５に記載のメッセージ供給システム。
【請求項９】
発光機能を有する宇宙機を編隊で飛行させて形成する文字列や絵をビジュアルメッセージとした請求項５に記載のメッセージ供給システム。
【請求項１０】
受信者に対して通信ネットワークを通しても文字列や絵の画像をビジュアルメッセージとして供給する請求項７ないし９のいずれかに記載のメッセージ供給システム。
【請求項１１】
宇宙機に設けた表示板にレーザ光を走査して形成される文字列や絵をビジュアルメッセージとした請求項５に記載のメッセージ供給システム。
【請求項１２】
宇宙機に設けた表示板に太陽光を当てて形成される文字列や絵をビジュアルメッセージとした請求項５に記載のメッセージ供給システム。
【請求項１３】
宇宙機から照射されたレーザ光あるいは宇宙機で反射された太陽光を反射体に当てて形成される文字列や絵をビジュアルメッセージとした請求項５に記載のメッセージ供給システム。
【発明の詳細な説明】
技術分野
本発明は、宇宙機を用いたメッセージ供給システムに関するものである。
背景技術
従来、上記した宇宙機を用いたメッセージ供給システムに類するものとしては、例えば、図１５に示すサービスがあった。
図１５に示すように、このサービスは、抽選に応募した複数の送信者の中から、当選した送信者のメッセージを宇宙機に載せて打ち上げるものであり、その流れは、まず、送信者が抽選申し込み受付開始に合わせて、応募はがきにメッセージを記入して投函し（ステップＳ１００〜ステップＳ１０２）、一方、抽選者側では、抽選の後、当選者に当選結果を通知する（ステップＳ１０５〜ステップＳ１０９）と共に、当選した送信者のメッセージを宇宙機に入力して打ち上げを実行する（ステップＳ１１１〜ステップＳ１１４）。
当選した送信者は、ステップＳ１０３において抽選者側からの通知葉書で当選を認識しており、ステップ１０４の申し込み終了後において、ステップＳ１１５でなされた抽選者側からの打ち上げ結果通知により、ステップ１１６において結果を受信するようになっている。
ところが、上記した従来の宇宙機を用いたサービスにおいて、送信者に打ち上げ結果が知らされるというサービスは受けられるものの、送信者のメッセージをただ単に宇宙機に搭載するだけで受信者が不在であること、葉書などに記載されたメッセージに限定されてしまうこと、抽選によるサービスであるため所望の宇宙機を指定できないこと、メッセージを載せた宇宙機の位置を送信者が知り得ないこと、といった問題があり、これらの問題を解決することが従来の課題となっていた。
発明の開示
本発明は、このような従来技術の有する課題に鑑みてなされたもので、その目的とするところは、送信者本人を含めた受信者に対して、日時や、回数などを指定して、画像や動画などの様々な種類のメッセージ（誕生記念などのメモリアルメッセージや、健康回復祈願などの祈願や、プロポーズなどの愛情表現や、遺言や、人生の足跡）を供給することができ、加えて、メッセージを託した宇宙機の形状や、飛行経路や、打ち上げ日時などを指定することが可能であると共に、宇宙機の位置をも確認することができるメッセージ供給システムを提供し、かつ、送信者本人を含めた受信者に対して、送信者が指定した期日でかつ送信者および／または受信者が視認可能な場所において、より演出効果の高いメッセージを供給することができるメッセージ供給システムを提供することにある。
本発明者らは、上記目的を達成すべく鋭意検討を重ねた結果、送信者と、データベースと、宇宙機と、宇宙機の追跡管制装置と、受信者とを通信ネットワークで接続することで、上記目的が達成されることを見出し、本発明を完成するに至った。
即ち、本発明のメッセージ供給システムは、送信者と、データベースと、宇宙機と、宇宙機の追跡管制装置と、受信者（送信者本人が受信者になる場合を含む）とをインターネットやケーブルテレビや衛星通信網などの通信ネットワークで接続し、送信者のメッセージを追跡管制装置に位置を捉えられつつ航行する宇宙機および地上のデータベースのうちの少なくともいずれか一方に格納し、受信者に対して、送信者が指定した期日に宇宙機あるいはデータベースに格納したメッセージを宇宙機の諸元および位置とともに供給することを特徴とする。
また、本発明のメッセージ供給システムの好適な例として、送信者から通信ネットワークを通して送られたメッセージを送信者のメッセージとしたことを特徴とし、本発明のメッセージ供給システムのより好適な例として、送信者から通信ネットワークを通して送られたメッセージに宇宙機が撮影した天体画像および／または宇宙機自体の飛行画像や他の宇宙機の飛行画像を添付したものを送信者のメッセージとしたことを特徴とし、本発明のメッセージ供給システムのより一層好適な例として、宇宙機が撮影した天体画像および／または宇宙機自体の飛行画像や他の宇宙機の飛行画像をデータベースに蓄積してアルバム化したものを送信者から通信ネットワークを通して送られたメッセージに添付することを特徴としている。
ここで、宇宙機が地球周回軌道を周る場合には、送信者のメッセージを宇宙機および地上のデータベースのいずれに格納してもよいが、宇宙機が星間空間を飛行する場合には、宇宙機が地球から遠ざかることを考慮して送信者のメッセージを地上のデータベースに格納することが望ましい。
また、宇宙機が撮影する天体画像および／または宇宙機自体の飛行画像や他の宇宙機の飛行画像の撮影条件（方向，方位，絞りなどの条件）を送信者が指定するようになすことが可能である。
さらに、宇宙機自体の飛行画像や他の宇宙機の飛行画像の撮影する場合、とくに、これらの画像をアルバム化する場合において、クリスマスディスプレイや七夕飾りなどの季節感のある装飾を宇宙機に施してもよく、また、送信者の願いや記念をよりビジュアルに表現する装飾を宇宙機に施してもよく、この際、送信者から集めたクリスマスカードや短冊、あるいは、千羽鶴や記念プレートを打ち上げ前の装飾された宇宙機に搭載した映像を受信者に送れば、より演出効果が高くなる。
さらにまた、受信者に対して、送信者が指定した期日に宇宙機あるいはデータベースに格納したメッセージを供給する場合において、送信者および受信者を宇宙船の乗員に見立てて、メッセージの供給があたかも宇宙船内でなされているような感覚を与えることも可能である。
そして、より演出効果の高いメッセージを供給する本発明のメッセージ供給システムは、送信者と、データベースと、ビジュアルメッセージを形成可能な宇宙機と、宇宙機の追跡管制装置と、受信者とをインターネットやケーブルテレビや衛星通信網などの通信ネットワークで接続し、この通信ネットワークを通して送られた送信者からのビジュアルメッセージの諸元を追跡管制装置に位置を捉えられつつ航行する宇宙機および地上のデータベースのうちの少なくともいずれか一方に格納し、宇宙機あるいはデータベースに格納したビジュアルメッセージの諸元に基づいて、送信者が指定した期日でかつ送信者および／または受信者が視認可能な場所で、送信者が希望するビジュアルメッセージを形成することを特徴とする。
また、本発明のメッセージ供給システムの好適な例として、宇宙機が発生させる人工流れ星やオーロラなどの発光現象をビジュアルメッセージとしたことを特徴とし、本発明のメッセージ供給システムのより好適な例として、宇宙機に設けた複数の発光体を選択的に発光させて形成される文字列や絵をビジュアルメッセージとしたことを特徴とし、本発明のメッセージ供給システムのより一層好適な例として、宇宙機に設けた複数の反射体に太陽光を当てて選択的に反射させて形成される文字列や絵をビジュアルメッセージとしたことを特徴としている。
さらに、本発明のメッセージ供給システムのより一層好適な例として、発光機能を有する宇宙機を編隊で飛行させて形成する文字列や絵をビジュアルメッセージとしたことを特徴とし、本発明のメッセージ供給システムのより一層好適な例として、受信者に対して通信ネットワークを通しても文字列や絵の画像をビジュアルメッセージとして供給することを特徴としている。
さらにまた、本発明のメッセージ供給システムのより一層好適な例として、宇宙機に設けた表示板にレーザ光を走査して形成される文字列や絵をビジュアルメッセージとしたことを特徴とし、本発明のメッセージ供給システムのより一層好適な例として、宇宙機に設けた表示板に太陽光を当てて形成される文字列や絵をビジュアルメッセージとしたことを特徴とし、表示板には、金属薄膜や太陽電池パネルのほか、宇宙機の外壁も含むものとする。
さらにまた、本発明のメッセージ供給システムのより一層好適な例として、宇宙機から照射されたレーザ光あるいは宇宙機で反射された太陽光を反射体（雲を含む地球，月などの天体や宇宙機自体や他の宇宙機）に当てて形成される文字列や絵をビジュアルメッセージとしたことを特徴としている。
なお、本発明に係わるメッセージ供給システムにおいて、宇宙機の諸元とは、宇宙機の形状や、飛行経路や、打ち上げ日時などの宇宙機に関することを指し、また、ビジュアルメッセージの諸元とは、ビジュアルメッセージを形成する位置や、形成日時や、大きさなどのビジュアルメッセージのデータに関することを指し、例えば、人工流れ星やオーロラなどの発光現象の場合は、発生場所や、発生日時や、パターンなどの発光現象のデータに関することを指す。
また、本発明に係わるメッセージ供給システムにおいて、文字列や絵をビジュアルメッセージとする場合、静止文字や静止画に限定されるものではなく、時間の経過に応じて変化させることで時系列的な文字列や動画とすることも可能である。
上記した送信者と、データベースと、宇宙機と、宇宙機の追跡管制装置と、受信者とを通信ネットワークで接続し、送信者のメッセージを追跡管制装置に位置を捉えられつつ航行する宇宙機および地上のデータベースのうちの少なくともいずれか一方に格納し、受信者に対して、送信者が指定した期日に宇宙機あるいはデータベースに格納したメッセージを宇宙機の諸元および位置とともに供給するメッセージ供給システム、および、送信者から通信ネットワークを通して送られたメッセージを送信者のメッセージとしたメッセージ供給システムでは、送信者が指定した受信者に対して、日時や、回数などを指定して、自由な表現のメッセージを供給し得ることとなるうえ、宇宙機の形状や、飛行経路や、打ち上げ日時などの宇宙機の諸元を送信者の好みに応じて選択し得ることとなると共に、送信者および受信者が通信ネットワークで結ばれる宇宙機の位置をも確認し得ることとなる。
また、送信者から通信ネットワークを通して送られたメッセージに宇宙機が撮影した天体画像および／または宇宙機自体の飛行画像や他の宇宙機の飛行画像を添付したものを送信者のメッセージとした好適な例としてのメッセージ供給システムでは、宇宙機が撮影する天体画像および／または宇宙機の飛行画像がメッセージに添付されるので、送信者からのメッセージが宇宙を通してなされたものであることをより強く認識し得ることとなり、宇宙機が撮影した天体画像および／または宇宙機の飛行画像をデータベースに蓄積してアルバム化したものを送信者から通信ネットワークを通して送られたメッセージに添付する好適な例としてのメッセージ供給システムでは、メッセージに季節感が盛り込まれて、より印象深いメッセージの供給がなされることとなる。
さらに、ビジュアルメッセージを形成可能な宇宙機を用いた本発明のメッセージ供給システムにおいて、上記した構成としているので、送信者が指定した期日でかつ送信者および／または受信者が視認可能な場所において、送信者が希望するビジュアルメッセージを形成し得ることとなって、受信者に対してより演出効果の高いメッセージを供給し得ることとなり、とくに、受信者に対して通信ネットワークを通しても文字列や絵の画像をビジュアルメッセージとして供給するメッセージ供給システムでは、天候に左右されずに演出効果の高いメッセージを供給し得ることとなる。
発明を実施するための最良の形態
以下、本発明を実施例により更に詳細に説明するが、本発明はこれらの実施例に限定されるものではない。
（実施例１）
図１〜図４は本発明に係わるメッセージ供給システムの一実施例を示しており、図１に示すように、このメッセージ供給システムは、送信者１と、データベース２と、宇宙機３と、この宇宙機３の追跡管制装置４と、受信者５とをインターネットなどの通信ネットワーク６で接続した構成をなしている。
この通信ネットワーク６上には、送信者用情報処理装置７と、受信者用情報処理装置８と、データベース用情報処理装置９が接続してあり、送信者用情報処理装置７および受信者用情報処理装置８にはそれぞれマルチメディア記録装置１０が接続してあると共に、宇宙機３には宇宙機パラメータ設計装置１１が接続してある。
このメッセージ供給システムでは、図２から図４に示すように、まず、送信者１がメッセージ供給者のホームページへアクセスして、ユーザー情報の入力，宇宙機３の諸元の選択，メッセージ送信，受信者５の指定，受信への送信パラメータの指定およびメッセージ供給者への支払条件の指定を行う（ステップ１〜ステップ９）。
一方、メッセージ供給者側では、送信者１のアクセスを受けて、ユーザー情報，宇宙機諸元選択情報，メッセージ，受信者情報，受信への送信パラメータおよび支払条件をデータベース２に記憶させる（ステップ１２〜ステップ１９）と共に、これらの登録内容を送信者１に返信する（ステップ２０）。
そして、送信者１から登録内容の確認および入力完了の判断が示される（ステップ１０およびステップ１１）と、ステップ２１において入力が完了したことをデータベース２に記憶させ、ステップ２２〜ステップ２８において、この申し込みに対する決済を行い、決済不成功の場合には、データベース２に格納した上記の情報をすべて抹消する。
この決済が完了すると、選択された宇宙機３の製造，宇宙機３へのメッセージ入力，打ち上げロケットの製造・調達，打ち上げおよび追跡管制装置による宇宙機３の追跡開始を経て打ち上げプログラムが終了する（ステップ２９〜ステップ３５）。
なお、宇宙機３は、ユーザーの入力後にカスタムメードで製造される場合と、メッセージ供給者があらかじめ諸元を決めておいて、一定数のユーザーの申し込みに応じて製造される場合とがある。
この宇宙機３の打ち上げに伴って、ステップ３６〜ステップ３８において、受信者５に対する送信条件の判定および送信先の確認がなされると、ステップ３９〜ステップ４４において、宇宙機３の製造状況，メッセージ入力状況，打ち上げロケットの製造・調達状況，打ち上げ状況および宇宙機追跡管制状況のデータベース２への格納がなされると共に、これらの状況の受信者５への送信がなされる。
受信者５は、ステップ４５〜ステップ５０において、送信者１が指定した期日に宇宙機３に格納したメッセージを宇宙機３の諸元および位置とともに受信することとなり、これにより、送信者１からのメッセージの供給が完了することとなる。
したがって、上記したメッセージ供給システムでは、送信者１が指定した受信者５に対して、日時や、回数などを指定して、自由な表現のメッセージを供給し得ることとなり、加えて、宇宙機３の形状や、飛行経路や、打ち上げ日時などの宇宙機３の諸元を送信者１の要求に応じて選択し得るうえ、宇宙機３の位置や進路をも確認し得ることとなる。
（実施例２）
図５および図６は本発明に係わるメッセージ供給システムの他の実施例を示しており、図５に示すように、この実施例におけるメッセージ供給システムが先の実施例のメッセージ供給システムと相違するところは、地球や月などの天体（他の宇宙機も含む）１４の画像および宇宙機３自体の飛行画像を撮影可能な撮像装置３Ａを宇宙機３に搭載して、この撮像装置３Ａで撮影した天体１４の画像および／または宇宙機３自体の飛行画像を送信者のメッセージに添付するようにした点にあり、他の構成は先の実施例のメッセージ供給システムと同じである。
このメッセージ供給システムでは、図６（先の実施例を説明する図３に相当する図）に示すように、ステップ３４Ａにおいて、追跡管制装置による宇宙機３の追跡が行われている間に、宇宙機３に搭載した撮像装置３Ａで天体１４の画像および／または宇宙機３自体の飛行画像の撮影が行われ、ステップ４３Ａにおいて、宇宙機追跡管制状況とともにこれらの画像のデータベース２への格納がなされる。
受信者５は、ステップ５０Ａにおいて、送信者１が指定した期日に宇宙機３に格納したメッセージに上記のようにデータベース２に格納された画像を添付したメッセージを宇宙機３の諸元および位置とともに受信することとなり、これにより、送信者１からのメッセージの供給が完了することとなる。
したがって、上記したメッセージ供給システムでは、送信者１が指定した受信者５に対して、日時や、回数などを指定して、自由な表現のメッセージを供給し得ることとなると共に、宇宙機３の形状や、飛行経路や、打ち上げ日時などの宇宙機３の諸元を送信者１の要求に応じて選択し得るうえ、宇宙機３の位置や進路をも確認し得ることとなり、加えて、宇宙機３の撮像装置３Ａが撮影する天体１４の画像および／または宇宙機３自体の飛行画像や他の宇宙機の飛行画像がメッセージに添付されるので、送信者１からのメッセージが宇宙を通してなされたものであることをより強く認識し得ることとなる。
（実施例３）
図７〜図１０は本発明に係わるメッセージ供給システムのさらに他の実施例を示しており、図７に示すように、この実施例におけるメッセージ供給システムが先の実施例のメッセージ供給システムと相違するところは、宇宙機３にビジュアルメッセージとしての人工流れ星発生手段１２や人工オーロラ発生手段１３などの発光現象を生じさせる機能を搭載させた点にあり、他の構成は先の実施例のメッセージ供給システムと同じである。
このメッセージ供給システムでは、図８から図１０に示すように、まず、送信者１がメッセージ供給者のホームページへアクセスして、ユーザー情報の入力，人工流れ星発生手段１２を有する宇宙機３および人工オーロラ発生手段１３を有する宇宙機３の選択（宇宙機３の諸元の選択），人工流れ星あるいは人工オーロラの諸元の指定，受信者５の指定，受信への送信パラメータの指定およびメッセージ供給者への支払条件の指定を行う（ステップ５１〜ステップ５９）。
一方、メッセージ供給者側では、送信者１のアクセスを受けて、ユーザー情報，宇宙機諸元選択情報，発光現象の諸元情報，受信者情報，受信への送信パラメータおよび支払条件をデータベース２に記憶させる（ステップ６２〜ステップ６９）と共に、これらの登録内容を送信者１に返信する（ステップ７０）。
そして、送信者１から登録内容の確認および入力完了の判断が示される（ステップ６０およびステップ６１）と、ステップ７１において入力が完了したことをデータベース２に記憶させ、ステップ７２〜ステップ７８において、この申し込みに対する決済を行い、決済不成功の場合には、データベース２に格納した上記の情報をすべて抹消する。
この決済が完了すると、選択された宇宙機３の製造，打ち上げロケットの製造・調達，打ち上げおよび追跡管制装置による宇宙機３の追跡開始を経て打ち上げプログラムが終了する（ステップ７９〜ステップ８４）。
この実施例においても、宇宙機３の製造は、ユーザーの入力後にカスタムメードでなされる場合と、一定数のユーザーの申し込みを受けた段階でメッセージ供給者があらかじめ決めておいた諸元に基づいて製造される場合とがある。
この宇宙機３の打ち上げに伴って、ステップ８５〜ステップ８８において、宇宙機３の軌道変更時刻の判定，これに伴う宇宙機３の軌道変更・モニタ，発光現象の開始時刻の判定がなされると、ステップ８９およびステップ９０において、人工流れ星あるいは人工オーロラが発生する。
受信者５は、ステップ９２において、宇宙機３の軌道変更・モニタ情報を受信しており、ステップ９３において、送信者１が指定した期日でかつ受信者５が視認可能な場所で、送信者１が希望するパターンの人工流れ星あるいは人工オーロラを視認することとなり、これにより、送信者１からのメッセージの供給が完了することとなる。
したがって、上記したメッセージ供給システムでは、受信者５に対してより演出効果の高いメッセージを供給し得ることとなる。
（実施例４）
図１１および図１２は本発明に係わるメッセージ供給システムのさらに他の実施例を示しており、図１１に示すように、この実施例におけるメッセージ供給システムが先の実施例のメッセージ供給システムと相違するところは、宇宙機３に複数個の発光器（発光体）３Ｂを搭載し、これらの発光器３Ｂを選択的に発光させて、送信者１が指定した期日でかつ受信者５が直視可能または望遠鏡で視認可能な場所で、ビジュアルメッセージとしての文字列や絵を形成するようにした点にあり、他の構成は先の実施例のメッセージ供給システムと同じである。
なお、この実施例では、宇宙機３に撮像装置３Ａを搭載しており、この撮像装置３Ａで撮影した上記文字列や絵の発光パターンをデータベース２へ格納するようになっている。
このメッセージ供給システムでは、図１２（先の実施例を説明する図９に相当する図）に示すように、ステップ８９Ａにおいて、宇宙機３に搭載した複数個の発光器３Ｂを選択的に発光させると、送信者１が希望する諸元の文字列や絵が形成され、受信者５は、ステップ９３Ａにおいて、送信者１が指定した期日でかつ受信者５が直視可能または望遠鏡で視認可能な場所で、送信者１が希望するビジュアルメッセージとしての文字列や絵を視認することとなり、これにより、送信者１からのメッセージの供給が完了することとなる。
この実施例において、ステップ８３Ａでは、追跡管制装置による宇宙機３の追跡が行われている間に、宇宙機３に搭載した撮像装置３Ａによる発光パターンの撮影が行われ、ステップ８９Ｂにおいて、宇宙機追跡管制状況とともにこの発光パターンのデータベース２への格納がなされ、受信者５は、ステップ９３Ｂにおいて、送信者１が指定した期日に上記のようにデータベース２に格納されたビジュアルメッセージを宇宙機３の諸元および位置とともに通信ネットワークを通しても受信する。
したがって、上記したメッセージ供給システムにおいても、受信者５に対してより演出効果の高いメッセージを供給し得ることとなり、加えて、天候が悪い場合であったとしても、演出効果の高いメッセージを供給し得ることとなる。
（実施例５）
図１３および図１４は本発明に係わるメッセージ供給システムのさらに他の実施例を示しており、図１３に示すように、この実施例におけるメッセージ供給システムが先の実施例のメッセージ供給システムと相違するところは、宇宙機３にレーザ照射器３Ｃおよびレーザ走査器３Ｄを搭載し、レーザ照射器３Ｃから表示板としてのレーザ反射体（雲を含む地球，月などの天体や宇宙機３自体や他の宇宙機）１５に対して照射したレーザ光をレーザ走査器３Ｄによって走査することで、送信者１が指定した期日でかつ受信者５が直視可能または望遠鏡で視認可能な場所で、ビジュアルメッセージとしての文字列や絵を形成するようにした点にあり、他の構成は先の実施例のメッセージ供給システムと同じである。
なお、この実施例においても、宇宙機３に撮像装置３Ａを搭載しており、この撮像装置３Ａで撮影した上記文字列や絵のレーザパターンをデータベース２へ格納するようになっている。
このメッセージ供給システムでは、図１４（先の実施例を説明する図９に相当する図）に示すように、ステップ８９Ａ′において、宇宙機３に搭載したレーザ照射器３Ｃからレーザ反射体１５に照射したレーザ光をレーザ走査器３Ｄによって走査させると、送信者１が希望する諸元の文字列や絵が形成され、受信者５は、ステップ９３Ａ′において、送信者１が指定した期日でかつ受信者５が直視可能または望遠鏡で視認可能な場所で、送信者１が希望するビジュアルメッセージとしての文字列や絵を視認することとなり、これにより、送信者１からのメッセージの供給が完了することとなる。
この実施例において、ステップ８３Ａ′では、追跡管制装置による宇宙機３の追跡が行われている間に、宇宙機３に搭載した撮像装置３Ａによるレーザパターンの撮影が行われ、ステップ８９Ｂ′において、宇宙機追跡管制状況とともにこのレーザパターンのデータベース２への格納がなされ、受信者５は、ステップ９３Ｂ′において、送信者１が指定した期日に上記のようにデータベース２に格納されたビジュアルメッセージを宇宙機３の諸元および位置とともに通信ネットワークを通しても受信する。
したがって、上記したメッセージ供給システムにおいても、受信者５に対してより演出効果の高いメッセージを供給し得ることとなり、加えて、天候が悪い場合であったとしても、演出効果の高いメッセージを供給し得ることとなる。
上記した実施例では、いずれの場合も受信者５が送信者１とは別に存在する合を示したが、送信者１本人が受信者５となって、自己のメッセージを自分で受けるようにする構成としてもよい。
本発明に係わるメッセージ供給システムの詳細な構成は、上記した実施例に限定されるものではない。
産業上の利用可能性
以上説明したように、送信者と、データベースと、宇宙機と、宇宙機の追跡管制装置と、受信者とを通信ネットワークで接続し、送信者のメッセージを追跡管制装置に位置を捉えられつつ航行する宇宙機および地上のデータベースのうちの少なくともいずれか一方に格納し、受信者に対して、送信者が指定した期日に宇宙機あるいはデータベースに格納したメッセージを宇宙機の諸元および位置とともに供給するメッセージ供給システム、および、送信者から通信ネットワークを通して送られたメッセージを送信者のメッセージとしたメッセージ供給システムでは、送信者が指定した受信者に対して、日時や、回数などを指定して、メッセージを自由な表現で供給することができ、加えて、メッセージを託す宇宙機の形状や、飛行経路や、打ち上げ日時などの宇宙機の諸元を送信者の好みに応じて選択することが可能であると共に、その宇宙機の位置や軌道をも確認することができるという非常に優れた効果がもたらされる。
また、送信者から通信ネットワークを通して送られたメッセージに宇宙機が撮影した天体画像および／または宇宙機の飛行画像を添付したものを送信者のメッセージとしたメッセージ供給システムでは、送信者からのメッセージが宇宙を通してなされたものであることをより強く認識させることができ、宇宙機が撮影した天体画像および／または宇宙機の飛行画像をデータベースに蓄積してアルバム化したものを送信者から通信ネットワークを通して送られたメッセージに添付するメッセージ供給システムでは、より印象深いメッセージを供給することが可能であるという非常に優れた効果がもたらされる。
さらに、ビジュアルメッセージを形成可能な宇宙機を用いた本発明のメッセージ供給システムによれば、上記した構成としているので、送信者が指定した期日でかつ送信者および／または受信者が視認可能な場所において、送信者が希望するビジュアルメッセージを形成することができ、受信者に対してより一層演出効果の高いメッセージを供給することが可能であるという非常に優れた効果がもたらされ、とくに、受信者に対して通信ネットワークを通しても文字列や絵の画像をビジュアルメッセージとして供給するメッセージ供給システムでは、天候に左右されずに演出効果の高いメッセージを供給することが可能であるという非常に優れた効果がもたらされる。
【図面の簡単な説明】
図１は、本発明に係わるメッセージ供給システムの一実施例を示すブロック図、図２〜図４は、図１に示したメッセージ供給システムを説明するフローチャート、図５は、本発明に係わるメッセージ供給システムの他の実施例を示すブロック図、図６は、図５に示したメッセージ供給システムを説明する先の実施例の説明で用いた図３に相当するフローチャート、図７は、本発明に係わるメッセージ供給システムのさらに他の実施例を示すブロック図、図８〜図１０は、図７に示したメッセージ供給システムを説明するフローチャート、図１１は、本発明に係わるメッセージ供給システムのさらに他の実施例を示すブロック図、図１２は、図１１に示したメッセージ供給システムを説明する先の実施例の説明で用いた図３に相当するフローチャート、図１３は、本発明に係わるメッセージ供給システムのさらに他の実施例を示すブロック図、図１４は、図１３に示したメッセージ供給システムを説明する先の実施例の説明で用いた図３に相当するフローチャート、図１５は、従来におけるメッセージ供給システムに類するサービスを説明するフローチャートである。
【図１】
2002049239.tif 000003
【図２】
2002049239.tif 000004
【図３】
2002049239.tif 000005
【図４】
2002049239.tif 000006
【図５】
2002049239.tif 000007
【図６】
2002049239.tif 000008
【図７】
2002049239.tif 000009
【図８】
2002049239.tif 000010
【図９】
2002049239.tif 000011
【図１０】
2002049239.tif 000012
【図１１】
2002049239.tif 000013
【図１２】
2002049239.tif 000014
【図１３】
2002049239.tif 000015
【図１４】
2002049239.tif 000016
【図１５】
2002049239.tif 000017
【手続補正書】
【提出日】平成14年12月24日(2002.12.24)
【手続補正１】
【補正対象書類名】明細書
【補正対象項目名】請求項１
【補正方法】変更
【補正の内容】
【請求項１】
送信者と、データベースと、宇宙機と、宇宙機の追跡管制装置と、受信者とを通信ネットワークで接続し、送信者のメッセージを追跡管制装置に位置を捉えられつつ航行する宇宙機に格納し、受信者に対して、送信者が指定した期日に宇宙機に格納したメッセージを宇宙機の諸元および位置とともに供給することを特徴とするメッセージ供給システム。
【手続補正２】
【補正対象書類名】明細書
【補正対象項目名】０００２
【補正方法】変更
【補正の内容】
【０００２】
こと、葉書などに記載されたメッセージに限定されてしまうこと、抽選によるサービスであるため所望の宇宙機を指定できないこと、メッセージを載せた宇宙機の位置を送信者が知り得ないこと、といった問題があり、これらの問題を解決することが従来の課題となっていた。
発明の開示
本発明は、このような従来技術の有する課題に鑑みてなされたもので、その目的とするところは、送信者本人を含めた受信者に対して、日時や、回数などを指定して、画像や動画などの様々な種類のメッセージ（誕生記念などのメモリアルメッセージや、健康回復祈願などの祈願や、プロポーズなどの愛情表現や、遺言や、人生の足跡）を供給することができ、加えて、メッセージを託した宇宙機の形状や、飛行経路や、打ち上げ日時などを指定することが可能であると共に、宇宙機の位置をも確認することができるメッセージ供給システムを提供し、かつ、送信者本人を含めた受信者に対して、送信者が指定した期日でかつ送信者および／または受信者が視認可能な場所において、より演出効果の高いメッセージを供給することができるメッセージ供給システムを提供することにある。
本発明者らは、上記目的を達成すべく鋭意検討を重ねた結果、送信者と、データベースと、宇宙機と、宇宙機の追跡管制装置と、受信者とを通信ネットワークで接続することで、上記目的が達成されることを見出し、本発明を完成するに至った。
即ち、本発明のメッセージ供給システムは、送信者と、データベースと、宇宙機と、宇宙機の追跡管制装置と、受信者（送信者本人が受信者になる場合を含む）とをインターネットやケーブルテレビや衛星通信網などの通信ネットワークで接続し、送信者のメッセージを追跡管制装置に位置を捉えられつつ航行する宇宙機に格納し、受信者に対して、送信者が


【手続補正３】
【補正対象書類名】明細書
【補正対象項目名】０００３
【補正方法】変更
【補正の内容】
【０００３】
指定した期日に宇宙機に格納したメッセージを宇宙機の諸元および位置とともに供給することを特徴とする。
また、本発明のメッセージ供給システムの好適な例として、送信者から通信ネットワークを通して送られたメッセージを送信者のメッセージとしたことを特徴とし、本発明のメッセージ供給システムのより好適な例として、送信者から通信ネットワークを通して送られたメッセージに宇宙機が撮影した天体画像および／または宇宙機自体の飛行画像や他の宇宙機の飛行画像を添付したものを送信者のメッセージとしたことを特徴とし、本発明のメッセージ供給システムのより一層好適な例として、宇宙機が撮影した天体画像および／または宇宙機自体の飛行画像や他の宇宙機の飛行画像をデータベースに蓄積してアルバム化したものを送信者から通信ネットワークを通して送られたメッセージに添付することを特徴としている。
また、宇宙機が撮影する天体画像および／または宇宙機自体の飛行画像や他の宇宙機の飛行画像の撮影条件（方向，方位，絞りなどの条件）を送信者が指定するようになすことが可能である。
さらに、宇宙機自体の飛行画像や他の宇宙機の飛行画像の撮影する場合、とくに、これらの画像をアルバム化する場合において、クリスマスディスプレイや七夕飾りなどの季節感のある装飾を宇宙機に施してもよく、また、送信者の願いや記念をよりビジュアルに表現する装飾を宇宙


【手続補正４】
【補正対象書類名】明細書
【補正対象項目名】０００４
【補正方法】変更
【補正の内容】
【０００４】
機に施してもよく、この際、送信者から集めたクリスマスカードや短冊、あるいは、千羽鶴や記念プレートを打ち上げ前の装飾された宇宙機に搭載した映像を受信者に送れば、より演出効果が高くなる。
さらにまた、受信者に対して、送信者が指定した期日に宇宙機に格納したメッセージを供給する場合において、送信者および受信者を宇宙船の乗員に見立てて、メッセージの供給があたかも宇宙船内でなされているような感覚を与えることも可能である。
そして、より演出効果の高いメッセージを供給する本発明のメッセージ供給システムは、送信者と、データベースと、ビジュアルメッセージを形成可能な宇宙機と、宇宙機の追跡管制装置と、受信者とをインターネットやケーブルテレビや衛星通信網などの通信ネットワークで接続し、この通信ネットワークを通して送られた送信者からのビジュアルメッセージの諸元を追跡管制装置に位置を捉えられつつ航行する宇宙機および地上のデータベースのうちの少なくともいずれか一方に格納し、宇宙機あるいはデータベースに格納したビジュアルメッセージの諸元に基づいて、送信者が指定した期日でかつ送信者および／または受信者が視認可能な場所で、送信者が希望するビジュアルメッセージを形成することを特徴とする。
また、本発明のメッセージ供給システムの好適な例として、宇宙機が発生させる人工流れ星やオーロラなどの発光現象をビジュアルメッセージとしたことを特徴とし、本発明のメッセージ供給システムのより好適な例として、宇宙機に設けた複数の発光体を選択的に発光させて形成される文字列や絵をビジュアルメッセージとしたことを特徴とし、本発明のメッセージ供給システムのより一層好適な例として、宇宙機に設けた複数の反射体に太陽光を当てて選択的に反射させて形成される文字列や絵をビジュアルメッセージとしたことを特徴としている。


【手続補正５】
【補正対象書類名】明細書
【補正対象項目名】０００６
【補正方法】変更
【補正の内容】
【０００６】
をビジュアルメッセージとする場合、静止文字や静止画に限定されるものではなく、時間の経過に応じて変化させることで時系列的な文字列や動画とすることも可能である。
上記した送信者と、データベースと、宇宙機と、宇宙機の追跡管制装置と、受信者とを通信ネットワークで接続し、送信者のメッセージを追跡管制装置に位置を捉えられつつ航行する宇宙機に格納し、受信者に対して、送信者が指定した期日に宇宙機に格納したメッセージを宇宙機の諸元および位置とともに供給するメッセージ供給システム、および、送信者から通信ネットワークを通して送られたメッセージを送信者のメッセージとしたメッセージ供給システムでは、送信者が指定した受信者に対して、日時や、回数などを指定して、自由な表現のメッセージを供給し得ることとなるうえ、宇宙機の形状や、飛行経路や、打ち上げ日時などの宇宙機の諸元を送信者の好みに応じて選択し得ることとなると共に、送信者および受信者が通信ネットワークで結ばれる宇宙機の位置をも確認し得ることとなる。
また、送信者から通信ネットワークを通して送られたメッセージに宇宙機が撮影した天体画像および／または宇宙機自体の飛行画像や他の宇宙機の飛行画像を添付したものを送信者のメッセージとした好適な例としてのメッセージ供給システムでは、宇宙機が撮影する天体画像および／または宇宙機の飛行画像がメッセージに添付されるので、送信者からのメッセージが宇宙を通してなされたものであることをより強く認識し得ることとなり、宇宙機が撮影した天体画像および／または宇宙機の飛行画像をデータベースに蓄積してアルバム化したものを送信者から通信ネットワークを通して送られたメッセージに添付する好適な例としてのメッセージ供給システムでは、メッセージに季節感が盛り込まれて、よ


【手続補正６】
【補正対象書類名】明細書
【補正対象項目名】００１５
【補正方法】変更
【補正の内容】
【００１５】
機追跡管制状況とともにこのレーザパターンのデータベース２への格納がなされ、受信者５は、ステップ９３Ｂ´において、送信者１が指定した期日に上記のようにデータベース２に格納されたビジュアルメッセージを宇宙機３の諸元および位置とともに通信ネットワークを通しても受信する。
したがって、上記したメッセージ供給システムにおいても、受信者５に対してより演出効果の高いメッセージを供給し得ることとなり、加えて、天候が悪い場合であったとしても、演出効果の高いメッセージを供給し得ることとなる。
上記した実施例では、いずれの場合も受信者５が送信者１とは別に存在する合を示したが、送信者１本人が受信者５となって、自己のメッセージを自分で受けるようにする構成としてもよい。
本発明に係わるメッセージ供給システムの詳細な構成は、上記した実施例に限定されるものではない。
産業上の利用可能性
以上説明したように、送信者と、データベースと、宇宙機と、宇宙機の追跡管制装置と、受信者とを通信ネットワークで接続し、送信者のメッセージを追跡管制装置に位置を捉えられつつ航行する宇宙機に格納し、受信者に対して、送信者が指定した期日に宇宙機に格納したメッセージを宇宙機の諸元および位置とともに供給するメッセージ供給システム、および、送信者から通信ネットワークを通して送られたメッセージを送信者のメッセージとしたメッセージ供給システムでは、送信者が指定した受信者に対して、日時や、回数などを指定して、メッセージを自由な表現で供給することができ、加えて、メッセージを託す宇




【国際調査報告】
2002049239.tif 000018
2002049239.tif 000019
2002049239.tif 000020